(57)【要約】【課題】容器本体に蓋体を正しい位置で取付やすくすることにより容器本体の気密性を確保する。【解決手段】家庭用薄葉紙収納容器１００は、上面に家庭用薄葉紙Ｐの取出口１１を有し底面に底面開口部１５を有する容器本体１と、容器本体１の上部に回動自在に設けられ取出口１１を開閉する上蓋３と、容器本体１の底面開口部１５を塞ぐ底蓋２と、取出口１１を開状態とするために操作される操作部４等を備えている。容器本体１の下端をなす底面開口部１５の周縁には、容器本体１と底蓋２との係合方向と直交する該容器本体１の外側に向けて２つの本体側凸部（凸部）１５５が突設されている。底蓋２には、該底蓋２の着脱動作の際に把持される２つの把持部２１が設けられ、把持部２１の上面における基端部側の中央には、容器本体１の本体側凸部１５５と係合する底蓋側凹部２１１が設けられている。【選択図】図１
2008296974.tif 000002
【特許請求の範囲】
【請求項１】
内側に家庭用薄葉紙を収納するとともに、上面に前記家庭用薄葉紙の取出口を有し底面に底面開口部を有する容器本体と、前記容器本体に設けられ前記取出口を開閉する上蓋と、前記容器本体の底面開口部を塞ぐ底蓋と、を備える家庭用薄葉紙収納容器であって、
前記底蓋は、その周縁の少なくとも一部に前記容器本体に対する当該底蓋の取り付け位置をガイドするガイド部を備え、
前記容器本体の底面開口部の周縁に設けられ、前記ガイド部に設けられた係合部に係合される被係合部を備えることを特徴とする家庭用薄葉紙収納容器。
【請求項２】
前記底面開口部は、略楕円形状であることを特徴とする請求項１に記載の家庭用薄葉紙収納容器。
【請求項３】
前記係合部及び被係合部は、何れか一方が凸部を備え、他方が前記凸部と係合する凹部を備えることを特徴とする請求項１又は２に記載の家庭用薄葉紙収納容器。
【請求項４】
前記係合部は、前記容器本体側に向けて突設された凸部を備え、
前記被係合部は、前記凸部が係合される凹部を備えてなる
ことを特徴とする請求項１〜３の何れか一項に記載の家庭用薄葉紙収納容器。
【請求項５】
前記被係合部は、前記底面開口部の周縁に前記容器本体と前記底蓋との係合方向と直交する前記容器本体の外側に向け突設された凸部を備え、
前記係合部は、前記凸部と係合する凹部を備えてなる
ことを特徴とする請求項１〜３の何れか一項に記載の家庭用薄葉紙収納容器。
【請求項６】
前記凸部を備えた被係合部における前記容器本体の周方向に沿う幅が、前記凹部を備えた係合部における前記底蓋の周方向に沿う幅の３分の１以下である
ことを特徴とする請求項５に記載の家庭用薄葉紙収納容器。
【請求項７】
前記容器本体は、前記底面開口部の周縁に前記容器本体と前記底蓋との係合方向と直交する前記容器本体の外側に向け周方向に沿って帯状に突設された帯状突設部を備え、
前記被係合部は、前記帯状突設部の一部を切り欠くように形成された凹部を備え、
前記係合部は、前記容器本体側に向けて突設され、前記凹部と係合する凸部を備えてなることを特徴とする請求項１〜３の何れか一項に記載の家庭用薄葉紙収納容器。
【請求項８】
前記ガイド部は、前記底蓋の周縁において前記容器本体との係合方向と直交する外側に向けて突設され、
前記容器本体は、前記底面開口部の周縁に前記容器本体と前記底蓋との係合方向と直交する前記容器本体の外側に向け突設された前記ガイド部と同一形状の突設部を備え、
前記突設部に前記被係合部を備えてなることを特徴とする請求項１〜３の何れ一項に記載の家庭用薄葉紙収納容器。
【請求項９】
前記係合部は、前記底蓋と一体に成形され、
前記被係合部は、前記容器本体と一体に成形されてなる
ことを特徴とする請求項１〜８の何れか一項に記載の家庭用薄葉紙収納容器。
【発明の詳細な説明】
【技術分野】
【０００１】
本発明は、ウェットシートやウェットティシュー等の家庭用薄葉紙を収納する家庭用薄葉紙収納容器に関する。
【背景技術】
【０００２】
従来、家屋の床やトイレ、或いは人体などを拭くための家庭用薄葉紙を収納する家庭用薄葉紙収納容器が知られている（例えば、特許文献１参照）。この特許文献文献１に開示される家庭用薄葉紙収納容器は、家庭用薄葉紙の取出口を有する容器本体と、この容器本体に回動自在に設けられて取出口を開放及び閉塞する蓋体と、この蓋体を回動させて取出口を開放させる操作を行う操作ボタンと、を備えて構成されている。
【０００３】
上記容器本体は、下面部が開放されてなり、その下端周縁には外方に向け凸条が形成されている。また、当該下面部を閉塞する下蓋の周縁には底周壁が立設されており、底周壁の先端部から下方に向けては第２底周壁が吊設されている。さらに、第２底周壁の先端縁から上方に向けて第３底周壁が立設されており、第２底周壁と第３底周壁により断面形状Ｕ字状の嵌合溝が形成されている。そして、下蓋の嵌合溝と容器本体の凸条とが嵌合することで、容器本体が密閉されるようになっている。すなわち、容器本体は、例えば、水やアルコール等を含浸させた家庭用薄葉紙の乾燥を防止する必要があるため、内部空間を密閉して気密性を確保する構造となっている。
【特許文献１】特開２００２−３０２１７０号公報
【発明の開示】
【発明が解決しようとする課題】
【０００４】
しかしながら、上記特許文献１に開示される家庭用薄葉紙収納容器の場合、容器本体や下蓋が、例えば、ＰＰ（ポリプロピレン）等の熱可塑性樹脂を射出成形することで形成されるため、容器本体及び下蓋ともに可撓性を有している。このため、例えば、容器本体と下蓋とが正しい位置に配置されず僅かにずれた状態であっても、互いを無理やり押し込むことで容器本体の凸状と下蓋の嵌合溝とが嵌合され、容器本体が歪んだ状態で保持される場合がある。そして、容器本体と下蓋とがずれた状態で嵌合されると、該容器本体と下蓋との間の気密性が低下する他、容器本体が歪んだ状態で保持されることに伴い、操作ボタンを操作せずとも蓋体（上蓋）が勝手に開いてしまい、容器本体の気密性を確保することができないという問題があった。特に、容器本体の形状が楕円形状の場合には、角部がないため、正しい位置で容器本体に蓋体を取り付けることが難しい。
【０００５】
そこで、本発明の課題は、容器本体に蓋体を正しい位置で取付やすくすることにより容器本体の気密性を確保することができる家庭用薄葉紙収納容器を提供することである。
【課題を解決するための手段】
【０００６】
請求項１に記載の発明は、
内側に家庭用薄葉紙を収納するとともに、上面に前記家庭用薄葉紙の取出口を有し底面に底面開口部を有する容器本体と、前記容器本体に設けられ前記取出口を開閉する上蓋と、前記容器本体の底面開口部を塞ぐ底蓋と、を備える家庭用薄葉紙収納容器であって、
前記底蓋は、その周縁の少なくとも一部に前記容器本体に対する当該底蓋の取り付け位置をガイドするガイド部を備え、
前記容器本体の底面開口部の周縁に設けられ、前記ガイド部に設けられた係合部に係合される被係合部を備えることを特徴としている。
【０００７】
請求項２に記載の発明は、請求項１に記載の家庭用薄葉紙収納容器において、
前記底面開口部は、略楕円形状であることを特徴としている。
【０００８】
請求項３に記載の発明は、請求項１又は２に記載の家庭用薄葉紙収納容器において、
前記係合部及び被係合部は、何れか一方が凸部を備え、他方が前記凸部と係合する凹部を備えることを特徴としている。
【０００９】
請求項４に記載の発明は、請求項１〜３の何れか一項に記載の家庭用薄葉紙収納容器において、
前記係合部は、前記容器本体側に向けて突設された凸部を備え、
前記被係合部は、前記凸部が係合される凹部を備えてなることを特徴としている。
【００１０】
請求項５に記載の発明は、請求項１〜３の何れか一項に記載の家庭用薄葉紙収納容器において、
前記被係合部は、前記底面開口部の周縁に前記容器本体と前記底蓋との係合方向と直交する前記容器本体の外側に向け突設された凸部を備え、
前記係合部は、前記凸部と係合する凹部を備えてなることを特徴としている。
【００１１】
請求項６に記載の発明は、請求項５に記載の発明において、
前記凸部を備えた被係合部における前記容器本体の周方向に沿う幅が、前記凹部を備えた係合部における前記底蓋の周方向に沿う幅の３分の１以下であることを特徴としている。
【００１２】
請求項７に記載の発明は、請求項１〜３の何れか一項に記載の家庭用薄葉紙収納容器において、
前記容器本体は、前記底面開口部の周縁に前記容器本体と前記底蓋との係合方向と直交する前記容器本体の外側に向け周方向に沿って帯状に突設された帯状突設部を備え、
前記被係合部は、前記帯状突設部の一部を切り欠くように形成された凹部を備え、
前記係合部は、前記容器本体側に向けて突設され、前記凹部と係合する凸部を備えてなることを特徴としている。
【００１３】
請求項８に記載の発明は、請求項１〜３の何れか一項に記載の家庭用薄葉紙収納容器において、
前記ガイド部は、前記底蓋の周縁において前記容器本体との係合方向と直交する外側に向けて突設され、
前記容器本体は、前記底面開口部の周縁に前記容器本体と前記底蓋との係合方向と直交する前記容器本体の外側に向け突設された前記ガイド部と同一形状の突設部を備え、
前記突設部に前記被係合部を備えてなることを特徴としている。
【００１４】
請求項９に記載の発明は、請求項１〜８の何れか一項に記載の家庭用薄葉紙収納容器において、
前記係合部は、前記底蓋と一体に成形され、
前記被係合部は、前記容器本体と一体に成形されてなることを特徴としている。
【発明の効果】
【００１５】
請求項１に記載の発明によれば、家庭用薄葉紙収納容器は、ガイド部に設けられた係合部に容器本体の底面開口部の周縁に設けられた被係合部を係合させるようにして容器本体と蓋体とを位置決めすることにより、容器本体に対して蓋体を正しい位置で容易に嵌合させることができる。すなわち、容器本体に蓋体を正しい位置で取り付けやすくすることができるため、容器本体と蓋体とが歪んだ状態で嵌合されることを防止することができる。従って、容器本体の気密性を確保することができる。
【００１６】
請求項２に記載の発明によれば、請求項１に記載の発明と同様の効果が得られるのは無論のこと、特に、容器本体の底面開口部が略楕円形状であっても、容器本体と蓋体とを正しい位置に位置決めして容器本体の気密性を確保することができる。これにより、例えば、底面開口部の形状が略楕円形状となるように容器本体を形成することができ、容器本体のデザインを選択する際の自由度を向上させることができる。
【００１７】
請求項３に記載の発明によれば、請求項１又は２に記載の発明と同様の効果が得られるのは無論のこと、特に、容器本体と蓋体とは、何れか一方が凸部を備え他方が前記凸部と係合する凹部を備えた係合部及び被係合部により互いが正しい位置にガイドされる。つまり、請求項３に記載の発明によれば、家庭用薄葉紙収納容器は、簡易な構成で、容器本体と蓋体とを容易に正しい位置に位置決めすることができる。
【００１８】
請求項４に記載の発明によれば、請求項１〜３の何れか一項に記載の発明と同様の効果が得られるのは無論のこと、特に、容器本体と蓋体とは、容器本体側に向けて突設された凸部を備える係合部と、この凸部が係合される凹部を備えてなる被係合部とにより、簡易な構成でありながら、正しい取り付け位置に容易に位置決めすることができる。
【００１９】
請求項５に記載の発明によれば、請求項１〜３の何れか一項に記載の発明と同様の効果が得られるのは無論のこと、特に、容器本体と蓋体とは、底面開口部の周縁に、容器本体と蓋体との係合方向と直交する容器本体の外側にむけ突設された凸部を備えた被係合部と、前記凸部と係合する凹部とを備えた係合部とにより、簡易な構成でありながら、正しい取り付け位置に容易に位置決めすることができる。
【００２０】
請求項６に記載の発明よれば、請求項５に記載の発明と同様の効果が得られるのは無論のこと、特に、凸部を備えた被係合部における容器本体の周方向に沿う幅を、凹部を備えた係合部における底蓋の周方向に沿う幅の３分の１以下としたことにより、凸部及び該凸部と係合する凹部の幅を小さくして、残りの部分すなわち係合部における凹部を除いた部分の幅を大きく確保することができる。その結果、例えば、容器本体から底蓋を取り外す際に、ユーザが指等を引っ掛ける部分を大きく確保することができるため、容器本体から底蓋を取り外す際の操作性の向上が図られ、使い勝手のよい家庭用薄葉紙収納容器となる。
【００２１】
請求項７に記載の発明によれば、請求項１〜３の何れか一項に記載の発明と同様の効果が得られるのは無論のこと、特に、容器本体と蓋体とは、底面開口部の周縁に帯状に突設された帯状突設部の一部を切欠くように形成された凹部を備えた被係合部と、容器本体側に向けて突設され、前記凹部と係合する凸部とにより、簡易な構成でありながら、正しい取り付け位置に容易に位置決めすることができる。
【００２２】
請求項８に記載の発明によれば、請求項１〜３の何れか一項に記載の発明と同様の効果が得られるのは無論のこと、特に、容器本体と蓋体とに、同一形状のガイド部と突設部とを設けたことにより、ガイド部と突設部とが重なるようにして容器本体と蓋体とを容易に正しい取り付け位置に位置決めすることができる。つまり、同一形状のガイド部と突設部とを備えることにより、ユーザは直感的にこれらガイド部と突設部とを重ね合わせるようにして容器本体と蓋体とを位置決めすることができるものである。
【００２３】
請求項９に記載の発明によれば、請求項１〜７の何れか一項に記載の発明と同様の効果が得られるのは無論のこと、特に、係合部が蓋体と一体に成形されるとともに、被係合部が容器本体と一体に成形されてなることにより、これら係合部及び被係合部を、容易且つ低コストで成形することができる。
【発明を実施するための最良の形態】
【００２４】
以下に、本発明を実施するための最良の形態について、図面を用いて具体的に説明する。ただし、発明の範囲は、以下の説明及び図示例に限定されない。
【００２５】
［実施形態１］
図１は、本発明を適用した好適な実施形態１として例示する家庭用薄葉紙収納容器１００を示す斜視図であり、図２は、家庭用薄葉紙収納容器１００を示す正面図である。図３及び図４は、家庭用薄葉紙収納容器１００を示す平面図であり、図５は、図３のVI−VI線における家庭用薄葉紙収納容器１００の断面図である。図６は、本実施形態における底蓋２を示す平面図であり、図７は、本実施形態の家庭用薄葉紙収納容器１００における容器本体１と蓋体２との係合状態を示す説明図である。
なお、以下の説明では、家庭用薄葉紙収納容器１００の前後方向をＸ軸方向として、操作部４が設けられている側を前側とし、操作部４と反対側を後側とする。さらに、左右方向（幅方向）をＹ軸方向とし、上下方向をＺ軸方向とする。
【００２６】
本実施形態の家庭用薄葉紙収納容器１００は、例えば、図１〜図４に示すように、平面視にて略楕円形状をなし全体として半球状に形成されている。
具体的に、家庭用薄葉紙収納容器１００は、例えば、内側にウェットシートやウェットティシュー等の家庭用薄葉紙Ｐを収納するとともに、上面に家庭用薄葉紙Ｐの取出口１１を有し底面に底面開口部１５を有する容器本体１と、容器本体１の上部に回動自在に設けられ取出口１１を開閉する上蓋３と、容器本体１の底面開口部１５を塞ぐ底蓋２と、取出口１１を開状態とするために操作される操作部４等を備えて構成されている。
【００２７】
まず、図１〜５を参照しながら、容器本体１の構成について説明する。
容器本体１は、例えば、ＰＰ（ポリプロピレン）等の熱可塑性樹脂を射出成形することにより製造され、上下両側に開口部を有し、周面が曲面形状に形成されている。この容器本体１は、底面開口部１５を塞ぐように底蓋２が取り付けられることで、該底蓋２と共に家庭用薄葉紙Ｐを収納する収納部５を構成するものである。
具体的に、容器本体１は、例えば、図３〜図５に示すように、下端部に平面視にて略楕円形状の底面開口部１５を有し、上部側ほど小径となるように湾曲して形成された周面部１３と、この周面部１３の上端に連続して形成された上面部１２と、この上面部１２に設けられ、収納部５に収納された家庭用薄葉紙Ｐを取り出すための取出口１１を具備する上面開口部１４等を備えている。
【００２８】
上面部１２の略中央には、例えば、収納部５に収納された家庭用薄葉紙Ｐを取り出すための取出口１１が形成されている。この取出口１１は、例えば、不使用状態にて、収納部５の密閉性を確保するために上蓋３の内面側に設けられた閉塞部材３ａにより閉塞されるようになっている（図５参照）。また、上面部１２における取出口１１の後側には、例えば、上蓋３をＹ軸方向に沿う回動軸３１１（後述）に沿って回動自在に取り付けるための回動取付部１６が設けられている。
回動取付部１６は、例えば、上蓋３を開く方向に付勢するねじりコイルバネ等の付勢部材１６１を備えている。そして、後述する回動規制部による上蓋３の回動の規制が解除された状態では、上蓋３が回動して開状態に配置されることにより、取出口１１が露出されるようになっている。なお、付勢部材１６１は、ねじりコイルバネに限らず、上蓋３を開く方向に付勢可能なものであれば、例えば、板バネ等を適用しても良い。
【００２９】
上面開口部１４は、例えば、平面視にて略楕円形状をなし、その略中央部に水平方向に延在する取出口１１が形成され、取出口１１よりもＸ軸方向後側に上蓋３を回動自在に取り付けるためのヒンジ取付部１６２が設けられている。
【００３０】
取出口１１は、例えば、図４及び図５に示すように、上面開口部１４の略中央部に取り付けられた気密部６を構成する環状の本体側気密部６１の内縁部によって構成されている。
本体側気密部６１は、例えば、図５に示すように、取出口１１の延在方向（水平方向）に対して略垂直となるように設けられ、径方向外側に突出した凸部が上面開口部１４の内縁部に沿って形成された凹部に嵌め合わされることにより、上面開口部１４に取り付けられるようになっている。
【００３１】
ヒンジ取付部１６２は、例えば、上蓋３をＹ軸方向に沿う回動軸３１１に沿って回動自在に取り付けるためのものであり、Ｙ軸方向に沿って形成された凹型の軸受部１６４（図３〜５参照）と、上蓋３を開く方向に付勢するねじりコイルバネ等の付勢部材１６１等を備えている。
【００３２】
軸受部１６４は、例えば、図３〜図４に示すように、２つの回動軸３１１、３１１に対応させてＹ軸方向に並んで設けられていて、上面開口部１４の外縁よりも内側であって、取出口１１と略等しい高さに設けられている。ここで、軸受部１６４は、回動軸３１１とともに回動軸部を構成している。
【００３３】
そして、容器本体１は、周面部１３の下端部である底面開口部１５と底蓋２の上端部とが係合することにより、底面開口部１５を塞ぐことができる一方で、当該係合を解除することにより、当該容器本体１の内側を開放（露出）させるようになっている。つまり、収納部５に家庭用薄葉紙Ｐを収納する場合には、底蓋２を周面部１３から取り外して当該容器本体１の内側を開放して家庭用薄葉紙Ｐを収納し、その後、周面部１３に底蓋２を取り付けることで、底面開口部１５が閉塞されるようになっている。
【００３４】
また、収納部５には、例えば、複数枚の家庭用薄葉紙Ｐ、…が積層された状態で収納されるようになっており、継続して当該収納容器から取り出せるように交互に折り重ねられている。即ち、家庭用薄葉紙Ｐを取出口１１から容器本体１の外側へ引き出したときに、次の家庭用薄葉紙Ｐの上端が取出口１１よりも突出する位置まで収納部５から引き出されるようになっている（図５参照）。
【００３５】
さらに、本実施形態における容器本体１は、底面開口部１５の周縁に、当該容器本体１と底蓋２との係合方向と直交する該容器本体１の外側に向けて突設された２つの本体側凸部（凸部）１５５，１５５を備えている。各本体側凸部１５５，１５５は、例えば、ＰＰ等の熱可塑性樹脂を射出成形することにより、容器本体１と一体に成形されている。
そして、本体側凸部１５５，１５５は、後述する底蓋２の把持部２１，２１（ガイド部）に設けられた係合部としての底蓋側凹部２１１，２１１と係合する本発明の被係合部として機能する。
【００３６】
次に、本実施形態における上蓋３について説明する。
上蓋３は、例えば、平面視にて略楕円形状をなし、取出口１１を閉塞するように容器本体１に取り付けられた状態で容器本体１の外面部とともに半球状をなすように形成されている。具体的には、上蓋３は、例えば、容器本体１の回動取付部１６に取り付けられる回動軸を有する軸部分３１と、この軸部分３１から前方及び側方に延出され、容器本体１の外面部の曲率に合わせて所定の曲率を有する湾曲部３２と、この湾曲部３２の前端部から略真下に延出された前端面部３３等を備えている。
【００３７】
前端面部３３の下端部には、例えば、Ｘ軸方向後側に向けて所定の長さ突出された上蓋側凸部３３１が形成されている。
一方、上面部１２の取出口１１よりも前側であって、前端面部３３に対向する対向面部１３には、Ｘ軸方向前側に向けて所定の長さ突出された本体側凸部１３１が形成されている。
そして、取出口１１を閉塞するように上蓋３をＸ軸方向前側に回動させると、当該上蓋３の上蓋側凸部３３１が対向面部１３の本体側凸部１３１に係止した状態となって、上蓋３の取出口１１を開放するようなＸ軸方向後側に対する回動が規制される（図５参照）。
なお、上蓋側凸部３３１と本体側凸部１３１により、上蓋３の回動を規制する回動規制部が構成されている。
【００３８】
また、対向面部１３の下側には、例えば、後述する上摘み部４２の接触部４２３が係合する被係合部１４が形成されている。
被係合部１４は、例えば、対向面部１３の表面からＸ軸方向の後側に所定の深さ座刳られ、且つ、Ｙ軸方向に沿って延在するように溝状に形成されている。そして、被係合部１４に接触部４２３が係合することにより、上摘み部４２の回動軸部４２２（後述）を中心とする回動を規制するようになっている。
【００３９】
また、容器本体１における上面部１２の取出口１１よりも前側には、例えば、操作部４を取り付けるための操作部取付部１５６が設けられている。
【００４０】
操作部４は、例えば、操作部取付部１５６の所定位置に取付固定された下摘み部４１と、この下摘み部４１の上側に設けられた樹脂製の上摘み部４２等を備えて構成されている。
【００４１】
下摘み部４１は、例えば、断面略Ｌ字状に形成され、先端部がＸ軸方向前側に向けて突出するように配設されている。また、下摘み部４１の先端部は、例えば、家庭用薄葉紙収納容器１００の外面部の曲率に合わせるように所定の曲率をもって湾曲して形成されている。
【００４２】
上摘み部４２は、例えば、取出口１１を閉塞するように上蓋３を閉じた状態で、ユーザにより操作される操作レバー部４２１がＸ軸方向前側であって斜め上向きに突出するように配設されている。また、上摘み部４２は、例えば、容器本体１の操作部取付部１５６に回動自在に取り付けられ、容器本体１に対する回動の中心軸を構成する回動軸部４２２と、上蓋３の前端面部３３の下端部（一端部）に接触して当該上蓋３を跳ね上げる接触部４２３とを有している。
即ち、上摘み部４２は、例えば、操作レバー部４２１と、この操作レバー部４２１の後側の端部に連続して設けられ、Ｙ軸方向側の両端面に回動軸部４２２が形成された中央軸部４２４と、この中央軸部４２４の後側の下端部に連続して設けられ、中央軸部４２４よりも厚さが薄く形成された接触部４２３等を備えている。
【００４３】
接触部４２３は、例えば、図３に示すように、Ｙ軸方向に並んで所定間隔を空けて２つ設けられている。
【００４４】
また、上摘み部４２の操作レバー部４２１の先端部は、例えば、家庭用薄葉紙収納容器１００の外面部の曲率に合わせるように所定の曲率をもって湾曲して形成されている。
【００４５】
操作部取付部１５６は、例えば、容器本体１の取出口１１よりも前方の左右両側であって、収納部５の外側となる位置に形成された左右の壁部１５１に設けられている。
左右の壁部１５１の各々には、例えば、上摘み部４２の回動軸部４２２が取り付けられる取付穴部１５２が設けられ、取付穴部１５２の位置規制凸部１５３（後述）の下側に、当該壁部１５１を貫通する貫通穴１５４が形成されている。
【００４６】
取付穴部１５２は、例えば、壁部１５１の起立面１５１ａからＹ軸方向に所定の深さ座刳られてなり、Ｘ軸方向に沿って延在するように長円形状に形成されている。
取付穴部１５２のＸ軸方向の長さは、例えば、上摘み部４２をＸ軸方向にスライドさせて、操作部４による取出口１１を開状態とするための操作をロックするロック位置とアンロックするアンロック位置に配置することができる程度となっている。
ここで、上摘み部４２のロック位置とは、接触部４２３が被係合部１４に係合されることで回動軸部４２２を中心とする上摘み部４２の回動を規制する位置であり、アンロック位置とは、接触部４２３と被係合部１４の係合が解除されて上蓋３を跳ね上げ可能となるように前端面部３３の下端部の下側に接触部４２３が配置された位置（接触位置）のことである。即ち、上摘み部４２がアンロック位置に配された状態では（図５参照）、取付穴部１５２の内周面の前側部分に上摘み部４２の回動軸部４２２の外面が接触した状態となる一方で、上摘み部４２がロック位置に配された状態では、取付穴部１５２の内周面の後側部分に上摘み部４２の回動軸部４２２の外面が接触した状態となる。
【００４７】
また、取付穴部１５２の内周面のうち、Ｘ軸方向の略中央となる下側部分には、例えば、位置規制凸部１５３が上向きに突設されている。
位置規制凸部１５３は、例えば、取付穴部１５２の内周面の前側部分或いは後側部分に接触する位置にスライド移動した回動軸部４２２のＸ軸方向の位置を規制するものである。即ち、上摘み部４２をロック位置とアンロック位置との間で移動する場合には、回動軸部４２２が位置規制凸部１５３を乗り越えるようにしてＸ軸方向に移動することとなり、上摘み部４２がロック位置若しくはアンロック位置に配された状態では、位置規制凸部１５３により回動軸部４２２が取付穴部１５２内にてＸ軸方向に自由に移動することが規制されるようになっている。
【００４８】
貫通穴１５４は、例えば、位置規制凸部１５３を挟むように取付穴部１５２に対向する位置に設けられている。これにより、取付穴部１５２内を回動軸部４２２がＸ軸方向に移動する際に、回動軸部４２２により位置規制凸部１５３が貫通穴１５４側に押し込まれて取付穴部１５２が弾性変形することとなる。
【００４９】
ここで、本実施形態における底蓋２について詳しく説明する。
底蓋２は、例えば、ＰＰ（ポリプロピレン）等の熱可塑性樹脂を射出成形することにより製造され、平面視にて容器本体１の底面開口部１５と合致する略楕円形状をなし、全体として平板状に形成されている。
図５、図６に示すように、底蓋２の周縁には底周壁２２が立設されており、底周壁２２の先端部から下方に向けては第２底周壁２３が吊設されている。さらに、第２底周壁２３の先端縁から上方に向けて第３底周壁２４が立設されており、第２底周壁２３と第３底周壁２４により断面形状Ｕ字状の嵌合溝２５が形成されている。そして、底蓋２の嵌合溝２５と容器本体１の底面開口部１５とが嵌合することで、容器本体１が密閉されるようになっている。
【００５０】
また、本実施形態における底蓋２には、例えば、図１〜４、図６及び図７に示すように、当該底蓋２の着脱動作の際に把持される２つの把持部２１，２１が設けられている。
各把持部２１は、第３底周壁２５の前側であって、正面視にて上記操作部４の左右両側にそれぞれ配設されている（図１〜５参照）。この把持部２１は、底蓋２の周縁である第３底周壁２５において容器本体１に対する底蓋２の係合方向と直交する水平方向の外側に向けて突設されている。かかる把持部２１は、容器本体１に対する底蓋２の取り付け位置をガイドする本発明のガイド部として機能する。
【００５１】
さらに、本実施形態では、把持部２１の上面における基端部側の中央に、上述した容器本体１の底面開口部１５の周縁に設けられた本体側凸部１５５，１５５と係合する底蓋側凹部２１１，２１１が設けられている。この底蓋側凹部２１１，２１１は、ガイド部たる把持部２１に設けられた本発明の係合部として機能する。すなわち、この係合部としての底蓋側凹部２１１，２１１に、被係合部としての本体側凸部１５５，１５５が合致するように係合させることにより、何れも平面視にて同一の略楕円形状をなす容器本体１の底面開口部１５と底蓋２の嵌合溝２５とが、正しい位置で係合されるようになっている。
ここで、容器本体１と底蓋２とが係合される正しい位置とは、互いに同一の略楕円形状からなる容器本体１の底面開口部１５と底蓋２の嵌合溝２５とが係合した際に、例えば、一方（容器本体１）と他方（底蓋２）の楕円の長軸方向と短軸方向とが一致することにより容器本体１や底蓋２に歪みを生じることがなく、容器本体１と蓋体２とが隙間無く密閉されて気密性を損なうことがない取り付け位置のことである。
なお、本実施形態における底蓋側凹部２１１，２１１（係合部）は、熱可塑性樹脂の射出成形等により底蓋２と一体に成形されているが、例えば、別部材からなる底蓋側凹部２１１，２１１又は把持部２１，２１を接着剤等により蓋体２に取り付ける構造でもよい。
また、本実施形態では、特に、本体側凸部１５５（被係合部）における容器本体の周方向に沿う幅、及び、この本体側凸部１５５と係合する底蓋側凹部２１１の幅が、把持部２１（係合部）における底蓋２の周方向に沿う幅の３分の１以下となっている。
【００５２】
次に、蓋体２を容器本体１に取り付けて底面開口部１５を閉塞するための取り付け動作について図５〜図７を参照して説明する。
先ず、底蓋２が容器本体１から取り外された状態で、容器本体１の内部（収納部５）に家庭用薄葉紙Ｐを収納した後、図７（ａ）に示すように、容器本体１と底蓋２との取り付け位置の位置決めを行う。その際、底面開口部１５の周縁に設けた本体側凸部１５５，１５５を被係合部とし、底蓋２の周縁に設けた底蓋側凹部２１１，２１１を係合部として、両者が合致するようにして蓋体２を容器本体１に取り付ける（図７（ｂ）参照）。これにより、容器本体１と底蓋２とが、何れも歪むことのない正しい位置で取り付けられ、容器本体１の内部が密閉された状態となる。
【００５３】
以上のように、本実施形態の家庭用薄葉紙収納容器１００によれば、把持部２１に設けられた底蓋側凹部２１１に容器本体１の底面開口部１５の周縁に設けられた本体側凸部１５５を係合させるようにして容器本体１と蓋体２とを位置決めすることにより、容器本体１に対して蓋体２を正しい位置で容易に嵌合させることができる。
すなわち、容器本体１に蓋体２を正しい位置で取り付けやすくすることができるため、容器本体１と蓋体２とが歪んだ状態で嵌合されることを防止することができる。従って、容器本体１の気密性を確保することができる。
【００５４】
また、容器本体１の底面開口部１５が略楕円形状であっても、容器本体１と蓋体２とを正しい位置に位置決めして容器本体１の気密性を確保することができるため、容器本体１のデザインを選択する際の自由度を向上させることができる。
【００５５】
また、容器本体１と蓋体２とは、一方の容器本体１が本体側凸部１５５を備え他方の底蓋２が前記本体側凸部１５５と係合する底蓋側凹部２１１を備えた係合部及び被係合部により互いが正しい位置にガイドされるため、簡易な構成で、容器本体１と蓋体２とを容易に正しい位置に位置決めすることができる。
【００５６】
さらに、係合部としての底蓋側凹部２１１が蓋体２と一体に成形されるとともに、被係合部としての本体側凸部１５５が容器本体１と一体に成形されてなることにより、これら係合部及び被係合部を、容易且つ低コストで成形することができる。
【００５７】
また、本実施形態では、把持部２１に形成する底蓋側凹部２１１を当該把持部２１の中央付近に小さく形成し、ユーザが把持部２１を操作して容器本体１から底蓋２を取り外す際に、指等を引っ掛けるための面積を十分に確保しているため、底蓋２を取り外す際の操作性を損なうことがない。すなわち、本体側凸部１５５（被係合部）における容器本体１の周方向に沿う幅を、底蓋側凹部２１１を備えた把持部２１（係合部）における底蓋２の周方向に沿う幅の３分の１以下としたことにより、本体側凸部１５５及び該本体側凸部１５５と係合する底蓋側凹部２１１の幅を小さくして、残りの部分すなわち把持部２１における底蓋側凹部２１１を除いた部分の幅を大きく確保することができる。その結果、例えば、容器本体１から底蓋２を取り外す際に、ユーザが指等を引っ掛ける部分を大きく確保することができるため、容器本体１から底蓋２を取り外す際の操作性の向上が図られ、使い勝手のよい家庭用薄葉紙収納容器１００となる。
【００５８】
＜変形例１＞
次に、変形例１の家庭用薄葉紙収納容器について図８を参照して説明する。
なお、以下の変形例１及び実施形態２〜４の説明中において、上述した実施形態１と同一の構成については同一の符号を付し、重複する説明は省略するものとする。
ここで、図８は、変形例１の家庭用薄葉紙収納容器１０００における容器本体と底蓋との係合状態を示す説明図である。
【００５９】
変形例１の家庭用薄葉紙収納容器１０００は、例えば、図８に示すように、底蓋２の把持部２１に設けた底蓋側凹部２１１ａが平面視にて略半円形状をなしており、また、容器本体１に設けた本体側凸部１５５ａが、底蓋側凹部２１１ａと係合するように、平面視にて略半円形状をなしている。
かかる本体側凸部１５５ａを有する容器本体１に底蓋側凹部２１１ａを有する底蓋２を取り付ける場合、先ず、底蓋２が容器本体１から取り外された状態で、容器本体１の内部（収納部５）に家庭用薄葉紙Ｐを収納した後、容器本体１と底蓋２との取り付け位置の位置決めを行う際（図８（ａ）参照）には、底面開口部１５の周縁に設けた本体側凸部１５５ａ，１５５ａを被係合部とし、底蓋２の周縁に設けた底蓋側凹部２１１ａ，２１１ａを係合部として、両者が合致するようにして蓋体２を容器本体１に取り付ける（図８（ｂ）参照）。これにより、容器本体１と底蓋２とが、何れも歪むことのない正しい位置で取り付けられ、容器本体１の内部が密閉された状態となる。
【００６０】
従って、変形例１の家庭用薄葉紙収納容器１０００によれば、簡易な構成でありながら、容器本体１と蓋体２とを容易に正しい位置に位置決めすることができる。また、本体側凸部１５５ａを略半円形状としたことにより、例えば、ユーザが容器本体１と底蓋２とを取り外した状態で取り扱う際に、角部に触れることがなく取り扱いが容易である。さらに、例えば、図８に示すように、底蓋２に設けた把持部２１の縁部形状を平面視にて円弧を連ねた形状とした場合、この円弧と調和するデザインとすることができるため、デザイン性の向上及びデザイン選択の自由度を向上させることができるものである。
【００６１】
［実施形態２］
次に、本発明を適用した実施形態２の家庭用薄葉紙収納容器について説明する。
図９は、本発明を適用した好適な実施形態２として例示する家庭用薄葉紙収納容器２０００を示す斜視図である。
本実施形態の家庭用薄葉紙収納容器２０００は、例えば、図９に示すように、底蓋２の把持部２１の略中央において容器本体１側（上側）に向けて突設された係合部としての底蓋側凸部２１１ｂ（凸部）と、容器本体１の底面開口部１５の周縁において該容器本体１の外側に向けて突設され、上記底蓋側凸部２１１ｂが係合される被係合部としての二股状の本体側凹部１５５ｂ（凹部）とをそれぞれ２対、備えて構成されている。
具体的には、底蓋側凸部２１１ｂが係合する本体側凹部１５５ｂ，１５５ｂ間の隙間距離が、該底蓋側凸部２１１ｂが係合可能な距離となっている。
【００６２】
かかる本体側凹部１５５ｂを有する容器本体１に底蓋側凸部２１１ｂを有する底蓋２を取り付ける場合、先ず、底蓋２が容器本体１から取り外された状態で、容器本体１の内部（収納部５）に家庭用薄葉紙Ｐを収納した後、容器本体１と底蓋２との取り付け位置の位置決めを行う際（図９（ａ）参照）には、底面開口部１５の周縁に設けた本体側凹部１５５ｂ，１５５ｂを被係合部とし、底蓋２の周縁に設けた底蓋側凹部２１１ｂ，２１１ｂを係合部として、両者が合致するようにして蓋体２を容器本体１に取り付ける（図９（ｂ）参照）。これにより、容器本体１と底蓋２とが、何れも歪むことのない正しい位置で取り付けられ、容器本体１の内部が密閉された状態となる。
【００６３】
以上のように、本実施形態２の家庭用薄葉紙収納容器２０００によれば、容器本体１と蓋体２とは、容器本体１側に向けて突設された底蓋側凸部２１１ｂを備える係合部と、この底蓋側凸部２１１ｂが係合される本体側凹部１５５ｂを備えてなる被係合部とにより、簡易な構成でありながら、容器本体１に対して底蓋２を正しい取り付け位置に容易に位置決めすることができる。
さらに、把持部２１の略中央に底蓋側凸部２１１ｂを形成し、両側に本体側凹部１５５ｂが配置された状態で容器本体１と底蓋２とが閉塞される構成としたことにより、例えば、ユーザが誤って把持部２１を操作した際に、底蓋２を取り外すための操作部となる底蓋側凸部２１１ｂが容易に操作されることを防止することができるため、容器本体１から底蓋２が容易に取り外されることを防止することができる。これにより、容器本体１内部の気密性が不用意に阻害されることを防止することができるものである。
【００６４】
［実施形態３］
次に、本発明を適用した実施形態３の家庭用薄葉紙収納容器について説明する。
図１０は、本発明を適用した好適な実施形態３として例示する家庭用薄葉紙収納容器３０００を示す斜視図である。
本実施形態の家庭用薄葉紙収納容器３０００は、例えば、図１０に示すように、容器本体１の底面開口部１５の周縁において、容器本体１と底蓋２との係合方向と直交する該容器本体１の外側に向け周方向に沿って概略帯状に突設された帯状突設部１５５ｃを備えており、この帯状突設部１５５ｃの一部を切り欠くように形成された被係合部としての本体側凹部１５５０を２つ備えている。また、底蓋２の把持部２１の略中央には、容器本体１側（上側）に向けて突設され、本体側凹部１５５０と係合する係合部としての２つの底蓋側凸部２１１ｃ（凸部）とを備えて構成されている。
具体的には、本体側凹部１５５０は、例えば、図１０（ａ）に示すように、容器本体１の周縁に設けた帯状突設部１５５ｃのうち、該容器本体１と底蓋２とを係合させた際に把持部２１，２１の上方に位置する箇所をそれぞれ切り欠いた隙間部からなっており、各把持部２１，２１の上部に設けられた底蓋側凸部２１１ｃ、２１１ｃは、容器本体１と底蓋２とを係合させた際に、本体側凹部１５５０と係合することによって帯状突設部１５５ｃと連続的な一本の縁部を構成するようになっている。
【００６５】
かかる本体側凹部１５５ｃを有する容器本体１に底蓋側凸部２１１ｃを有する底蓋２を取り付ける場合、先ず、底蓋２が容器本体１から取り外された状態で、容器本体１の内部（収納部５）に家庭用薄葉紙Ｐを収納した後、図１０（ａ）に示すように、容器本体１と底蓋２との取り付け位置の位置決めを行う際に、底面開口部１５の周縁に設けた本体側凹部１５５ｃ，１５５ｃを被係合部とし、底蓋２の周縁に設けた底蓋側凹部２１１ｃ，２１１ｃを係合部として、両者が合致するようにして蓋体２を容器本体１に取り付ける（図１０（ｂ）参照）。これにより、容器本体１と底蓋２とが、何れも歪むことのない正しい位置で取り付けられ、容器本体１の内部が密閉された状態となる。
【００６６】
実施形態３に記載の家庭用薄葉紙収納容器３０００によれば、容器本体１と蓋体２とは、底面開口部１５の周縁に帯状に突設された帯状突設部１５５ｃの一部を切欠くように形成された本体側凹部１５５０を備えた被係合部と、容器本体１側に向けて突設され、前記本体側凹部１５５０と係合する底蓋側凸部２１１ｃとにより、簡易な構成でありながら、正しい取り付け位置に容易且つ確実に位置決めすることができる。
【００６７】
［実施形態４］
次に、本発明を適用した実施形態４の家庭用薄葉紙収納容器について説明する。
図１１は、本発明を適用した好適な実施形態４として例示する家庭用薄葉紙収納容器４０００を示す斜視図である。
本実施形態の家庭用薄葉紙収納容器４０００は、例えば、図１１に示すように、底蓋２の周縁において容器本体１との係合方向と直交する外側に向けて突設されたガイド部としての把持部２１，２１と、容器本体１の底面開口部１５の周縁に、該容器本体１と底蓋２との係合方向と直交する容器本体１の外側に向け突設された、把持部２１，２１（ガイド部）と同一形状の突設部１５５１，１５５１とを備えている。
突設部１５５１，１５５１は、容器本体１と底蓋２とが互いに正しい位置に配置されるようにして取り付けられた際に、把持部２１，２１とそれぞれ上下に重ねて配置されるようになっている。
そして、把持部２１の略中央には容器本体１側（上側）に向けて突設された係合部としての底蓋側凸部２１１ｄ（凸部）が設けられており、容器本体１の底面開口部１５の周縁において該容器本体１の外側に向けて突設された突設部１５５１，１５５１には、上記底蓋側凸部２１１ｄが係合される被係合部としての本体側凹部１５５ｄ（凹部）とを備えて構成されている。
具体的に、本体側凹部１５５ｄは、底蓋側凸部２１１ｄが係合する貫通穴（穴部）となっている。なお、本実施形態のように、容器本体１の底面開口部１５の周縁に、把持部２１，２１と同一形状の突設部１５５１，１５５１を設けた場合、例えば、本体側凹部１５５ｄと底蓋側凸部２１１ｄとは、互いが上下逆に配置されていてもよい。すなわち、容器本体１の突設部１５５１，１５５１の下面に、底蓋２側に向けて突設する凸部を設けるとともに、底蓋２の把持部２１，２１に上記凸部と係合する凹部（又は穴部）を設ける構成としてもよい。
【００６８】
かかる本体側凹部１５５ｄを有する容器本体１に底蓋側凸部２１１ｄを有する底蓋２を取り付ける場合、先ず、底蓋２が容器本体１から取り外された状態で、容器本体１の内部（収納部５）に家庭用薄葉紙Ｐを収納した後、図１１（ａ）に示すように、容器本体１と底蓋２との取り付け位置の位置決めを行う際に、底面開口部１５の周縁に設けた本体側凹部１５５ｄ，１５５ｄを被係合部とし、底蓋２の周縁に設けた底蓋側凹部２１１ｄ，２１１ｄを係合部として、両者が合致するようにして蓋体２を容器本体１に取り付ける（図１１（ｂ）参照）。これにより、容器本体１と底蓋２とが、何れも歪むことのない正しい位置で取り付けられ、容器本体１の内部が密閉された状態となる。
【００６９】
実施形態４に記載の家庭用薄葉紙収納容器４０００によれば、容器本体１と蓋体２とに、同一形状の把持部（ガイド部）２１，２１と突設部１５５１，１５５１とを設けたことにより、把持部２１，２１と突設部１５５１，１５５１とが重なるようにして容器本体１と蓋体２とを容易に正しい取り付け位置に位置決めすることができる。つまり、同一形状の把持部２１，２１と突設部１５５１，１５５１とを備えることにより、ユーザは直感的にこれら把持部２１，２１と突設部１５５１，１５５１とを重ね合わせるようにして容器本体１と蓋体２とを容易且つ確実に正しい位置に位置決めすることができるものである。
【００７０】
（その他）
なお、家庭用薄葉紙収納容器１００、１０００、２０００、３０００、４０００の構成や各部の形状等は、上記実施形態に例示したものは一例であり、これらに限られるものではない。
例えば、係合部及び被係合部は、少なくとも何れか一方に凸部を備え、他方にこの凸部と係合する凹部を備えていれば良い。
また、ガイド部としての把持部２１は、上記実施形態１〜４及び変形例１においては、各二つ備える構成としたが、これに限定されるものではなく、例えば、図１２に示すように、一つの把持部２１ｅを設けてこの把持部２１ｅに設けた底蓋側凹部２１１ｅに、容器本体１に設けた本体側凸部１５５ｅを嵌め込んで係合させることにより、容器本体１と底蓋２との位置決めを行っても良い。
また、係合部と被係合部とはそれぞれ３つ以上設けてもよい。また、係合部と被係合部とを、互いが対応するようにそれぞれ同数づつ設ける他に、底蓋２を取り外すために用いるための把持部をさらに底蓋２に設ける構成としてもよい。
また、上記実施形態１〜４及び変形例１に示す家庭用薄葉紙収納容器１００、１０００，２０００、３０００、４０００は、何れも平面視にて略楕円形状の場合を例に説明したが、例えば、平面視による断面が、多角形の角部を切り落として略円弧状とした形状とした家庭用薄葉紙収納容器にも適用可能である。
また、上記実施形態１〜４及び変形例１においては、係合部と被係合部とにより、容器本体１と底蓋２とが正しい位置に配置されない場合は容器本体１と底蓋２とを適切に取り付けることができない構成としたが、さらに、これら係合部と被係合部とに、例えば、マーク等を付して正しい位置を識別できるようにしてもよいし、或いは、係合部と被係合部との着色により正しい位置を識別できるようにしてもよい。
【図面の簡単な説明】
【００７１】
【図１】本発明を適用した好適な実施形態１として例示する家庭用薄葉紙収納容器を示す斜視図である。
【図２】図１の家庭用薄葉紙収納容器を示す正面図である。
【図３】図１の家庭用薄葉紙収納容器を示す平面図である。
【図４】図１の家庭用薄葉紙収納容器を示す平面図である。
【図５】VI−VI線における家庭用薄葉紙収納容器の断面図である。
【図６】図１の家庭用薄葉紙収納容器における蓋体を示す平面図である。
【図７】本実施形態の家庭用薄葉紙収納容器における容器本体と蓋体との係合状態を示す説明図である。
【図８】変形例１の家庭用薄葉紙収納容器における容器本体と蓋体との係合状態を示す説明図である。
【図９】本発明を適用した好適な実施形態２として例示する家庭用薄葉紙収納容器における容器本体と蓋体との係合状態を示す説明図である。
【図１０】本発明を適用した好適な実施形態３として例示する家庭用薄葉紙収納容器における容器本体と蓋体との係合状態を示す説明図である。
【図１１】本発明を適用した好適な実施形態１として例示する家庭用薄葉紙収納容器における容器本体と蓋体との係合状態を示す説明図である。
【図１２】本発明を適用した家庭用薄葉紙収納容器のその他の例を示す平面図である。
【符号の説明】
【００７２】
１００，１０００，２０００，３０００，４０００  家庭用薄葉紙収納容器
１        容器本体
１１      取出口
１２      上面部
１３      周面部
１４      上面開口部
１５      底面開口部
１５５    本体側凸部（被係合部）
１５１    壁部
１５２    取付穴部
１５３    位置規制凸部
１５４    貫通穴
１５５，１５５ａ，１５５ｂ，１５５ｃ，１５５ｄ，１５５ｅ  被嵌合部
２        底蓋
２１      把持部（ガイド部）
２１１，２１１ａ，２１１ｂ，２１１ｃ，２１１ｄ，２１１ｅ  底蓋側凹部（係合部）
３        上蓋
３ａ      閉塞部材
４        操作部
４１      下摘み部
４２      上摘み部
４２２    回動軸部
４２３    接触部
５        収納部
Ｐ        家庭用薄葉紙
【図１】
2008296974.tif 000003
【図２】
2008296974.tif 000004
【図３】
2008296974.tif 000005
【図４】
2008296974.tif 000006
【図５】
2008296974.tif 000007
【図６】
2008296974.tif 000008
【図７】
2008296974.tif 000009
【図８】
2008296974.tif 000010
【図９】
2008296974.tif 000011
【図１０】
2008296974.tif 000012
【図１１】
2008296974.tif 000013
【図１２】
2008296974.tif 000014